(57)【要約】【課題】フラットベッド型の画像読取装置で透過原稿の読み取りを行う場合には、透過原稿フィルムを原稿台ガラスから浮かせて、被写界深度の深いレンズを用いて読み取っていたため、装置が大型化していた。【解決手段】透過原稿フィルムを原稿台ガラスに載置する場合に、透過原稿フィルムの読取画像範囲以外の部分を原稿台ガラスに押付ける構成とすることで、狭い被写界深度内に透過原稿フイルムを配置することができ、被写界深度の浅い小型のレンズを用いても透過原稿フイルムを読み取ることができ、装置を小型にできる。【選択図】      図３
2004363893.tif 000002
【特許請求の範囲】
【請求項１】
透過原稿照明装置、透過原稿、透明原稿台、結像レンズ、読取センサの順に配置して透過原稿を読取るための画像読取装置において、
前記透過原稿照明装置の前記透過原稿側に、前記透過原稿の画像領域以外に対応する位置で、発光面よりも突出した複数の押圧部を設け、
前記押圧部により前記透過原稿を前記透明原稿台に押圧することを特徴とする画像読取装置。
【請求項２】
前記透過原稿照明装置の前記透過原稿側の発光面と、前記複数の押圧部と、前記透明原稿台の前記透過原稿側の面を、前記結像レンズの被写界深度範囲内に配置することで、前記透過原稿のいずれの面も前記結像レンズの被写界深度範囲内に配置されることを特徴とする請求項１に記載の画像読取装置。
【請求項３】
前記複数の押圧部は、前記透過原稿照明装置の発光領域外に設けられていることを特徴とする請求項１に記載の画像読取装置。
【請求項４】
前記複数の押圧部の各々の押圧部は、透過原稿のパーフォレーションの穴よりも大きいことを特徴とする請求項１に記載の画像読取装置。
【請求項５】
前記透明原稿台に載置し、前記透過原稿と前記透過原稿照明装置の位置を定める透過原稿ガイドを有することを特徴とする請求項１に記載の画像読取装置。
【請求項６】
前記透過原稿ガイドに、前記透過原稿と前記透明原稿台の間で、前記透過原稿の画像領域の外側かつ前記押圧部の内側に対応する位置に、スペーサ部材を設けたことを特徴とする請求項５に記載の画像読取装置。
【請求項７】
透明原稿台、結像レンズ、読取センサの順に配置された画像読取装置にて透過原稿を読取る際に、前記透明原稿台の上に透過原稿とともに配置する透過原稿照明装置において、
前記透過原稿照明装置の前記透過原稿側に、前記透過原稿の画像領域以外に対応する位置で、発光面よりも突出した複数の押圧部を設け、
前記押圧部により前記透過原稿を前記透明原稿台に押圧することを特徴とする透過原稿照明装置。
【請求項８】
前記透過原稿照明装置はさらに、前記透過原稿との位置を定める透過原稿ガイドを有することを特徴とする請求項７に記載の透過原稿照明装置。
【発明の詳細な説明】
【０００１】
【発明の属する技術分野】
本発明は、画像読取装置に係り、特に透過原稿を原稿台ガラスに押圧して読み取る画像読取装置に関する。
【０００２】
【従来の技術】
従来、フラットベッドの画像読取装置で透過原稿の読み取りを行う場合には、被写界深度の深いレンズを用いて透過原稿を原稿台ガラスから十分に浮かせる構成をとることで透過原稿の読み取りを行っていた（例えば、特許文献１参照。）。
【０００３】
【特許文献１】
特開２０００−３５８１３２号公報（第４頁、図１、第５頁、図４）
【０００４】
【発明が解決しようとする課題】
しかしながら、上記従来の画像読取構成では、被写界深度の深いレンズを用いるための光路長およびレンズ口径を収める大きさを必要とするために、装置自体が非常に大きくなってしまうという傾向がある。
【０００５】
本発明は、斯かる点に鑑みてなされたもので、その目的は、例えばロッドレンズアレイ等のように小型で被写界深度の浅いレンズを用いても反射原稿のみならず透過原稿をも読み取ることが出来るコンパクトな画像読取装置を提供することであり、また、被写界深度の狭い範囲で透過原稿を扱う場合でも、透過原稿画像に不要な力を及ぼさない構成にして、傷等の原因を排除することである。さらには、原稿台ガラスに近接しても、干渉縞の発生しない構成とすることである。
【０００６】
【課題を解決するための手段】
本発明は、上記課題を解決するためになされたものであり、以下の構成を有する。
［１］透過原稿照明装置、透過原稿、透明原稿台、結像レンズ、読取センサの順に配置して透過原稿を読取るための画像読取装置において、前記透過原稿照明装置の前記透過原稿側に、前記透過原稿の画像領域以外に対応する位置で、発光面よりも突出した複数の押圧部を設け、前記押圧部により前記透過原稿を前記透明原稿台に押圧することを特徴とする画像読取装置。
［２］前記透過原稿照明装置の前記透過原稿側の発光面と、前記複数の押圧部と、前記透明原稿台の前記透過原稿側の面を、前記結像レンズの被写界深度範囲内に配置することで、前記透過原稿のいずれの面も前記結像レンズの被写界深度範囲内に配置されることを特徴とする［１］に記載の画像読取装置。
［３］前記複数の押圧部は、前記透過原稿照明装置の発光領域外に設けられていることを特徴とする［１］に記載の画像読取装置。
［４］前記複数の押圧部の各々の押圧部は、透過原稿のパーフォレーションの穴よりも大きいことを特徴とする［１］に記載の画像読取装置。
［５］前記透明原稿台に載置し、前記透過原稿と前記透過原稿照明装置の位置を定める透過原稿ガイドを有することを特徴とする［１］に記載の画像読取装置。
［６］前記透過原稿ガイドに、前記透過原稿と前記透明原稿台の間で、前記透過原稿の画像領域の外側かつ前記押圧部の内側に対応する位置に、スペーサ部材を設けたことを特徴とする［５］に記載の画像読取装置。
［７］透明原稿台、結像レンズ、読取センサの順に配置された画像読取装置にて透過原稿を読取る際に、前記透明原稿台の上に透過原稿とともに配置する透過原稿照明装置において、前記透過原稿照明装置の前記透過原稿側に、前記透過原稿の画像領域以外に対応する位置で、発光面よりも突出した複数の押圧部を設け、前記押圧部により前記透過原稿を前記透明原稿台に押圧することを特徴とする透過原稿照明装置。
［８］前記透過原稿照明装置はさらに、前記透過原稿との位置を定める透過原稿ガイドを有することを特徴とする［７］に記載の透過原稿照明装置。
【０００７】
【発明の実施の形態】
以下に、図面に基づいて本発明を適用した実施形態を詳細に説明する。
【０００８】
（第１の実施形態）
図１は画像読取装置の内部構成の概略図、図２は本実施の形態の画像読取装置における内部構成のブロック図、図３は本実施の形態の画像読取装置における透過原稿載置構成図である。以下にその構成について説明する。
【０００９】
図１，図２において、１０１はコンタクトイメージセンサであり、反射原稿読取用ＬＥＤ（図示せず），線状導光体１０２、ロッドレンズアレイ１０３、モノクロイメージセンサ１０４を搭載している。ロッドレンズアレイ１０３は、被写体から結像面までの距離が１５ｍｍ、被写界深度が±０．３ｍｍのものを用いていて、原稿台ガラス１０６の上側０．１ｍｍの位置にある被写体原稿に焦点が合うように配置されている。
【００１０】
反射原稿読み取り時にはまず点灯回路２０７で駆動される反射原稿用のＲ，Ｇ，ＢのＬＥＤからの照射光を線状導光体１０２を介して読取原稿１０５に対してライン状に照射する。読取原稿１０５からの反射光は原稿台ガラス１０６及びロッドレンズアレイ１０３を介してモノクロイメージセンサ１０４で受光され、光電変換される。上記動作において、コンタクトイメージセンサ１０１を原稿に沿って副走査（矢印）方向に移動させながら、１ライン毎にＲ，Ｇ，Ｂ各色のＬＥＤを切り替えて点灯させることにより、Ｒ，Ｇ，Ｂ線順次の２次元カラー反射原稿画像を読み取ることができる。
【００１１】
透過原稿読み取り時には、透過原稿用照明装置１０７を用いて、透過原稿用のＲ，Ｇ，ＢのＬＥＤ１０８からの照射光を面状導光体１０９、拡散シート１１０を介して読取原稿１０５全体に照射する。読取原稿１０５を透過した光は原稿台ガラス１０６，ロッドレンズアレイ１０３を介してモノクロイメージセンサ１０４で受光され、光電変換される。上記動作において、コンタクトイメージセンサ１０１を原稿に沿って副走査（図１矢印）方向に移動させながら、１ライン毎にＲ，Ｇ，Ｂ各色のＬＥＤ１０８を切り替えて点灯させることにより、Ｒ，Ｇ，Ｂ線順次の２次元カラー透過原稿画像を読み取ることができる。
【００１２】
反射原稿読み取り、透過原稿読み取り共通して、モノクロイメージセンサ１０４にて光電変換された電気信号は電気的に接続された読取装置側の電気基板１１１に送られる。電気基板１１１上には図２の２０１から２０６まで備えられており、コンタクトイメージセンサ１０１から送られた電気信号に対して以下の処理がなされる。
【００１３】
ＡＦＥ２０１はイメージセンサ１０４より出力された電気信号にアンプ増幅，ＤＣオフセット補正，Ａ／Ｄ変換等の処理を行い、最終的に例えば１６ビットのディジタル画像データを出力するようなアナログ・フロントエンド・プリプロセッサである。
【００１４】
シェーディング補正回路２０２は、透過原稿読み取り時では、コンタクトイメージセンサ１０１によって透過原稿用照明装置１０７からの照射光を読み取って作成された基準レベルのデータをシェーディング補正データとして記憶し、この補正データに基づいて読取原稿を読み取って生成した画像データのシェーディング補正を行う。なお、シェーディング補正データはデータ取得後外部装置２０６に記録し、スキャンする際に必要なデータを本実施形態の画像読取装置にダウンロードして処理を行う。反射原稿読み取り時には、標準白色板からの反射光を読み取った信号からシェーディング補正データを作成する。
【００１５】
画像処理回路２０３は、ガンマ変換処理や外部装置２０７からあらかじめ設定された画像読取モード（２値，２４ビット多値など）に従ったパッキング処理といった画像データに対して所定の処理を行う。
【００１６】
インターフェース回路２０６は、パーソナルコンピュータなどの本実施形態に係る画像読取装置のホスト装置となる外部装置２０７との間でコントロール信号の受容や画像信号の出力を行う。
【００１７】
システムコントローラ２０５は、上記の画像読取装置の制御を行う。
【００１８】
外部装置２０７はホストコンピュータであり、画像読取装置を制御するためのスキャナドライバのソフトウエアがインストールされている。
【００１９】
スキャナドライバは、ユーザーから画像読取モードの指定をしたり、解像度指定、読取範囲の指定を行うためのユーザーインターフェースを有し、各指定に基づくコントロール信号を画像読取装置に対して前述のインターフェース回路２０６を介して送信したり、読取開始命令等を送信する。また、スキャナドライバは画像読取装置が前記コントロール信号に従って読み取った画像データを順次処理して画面表示を行うものである。
【００２０】
図５に、画像読取装置１００に透過原稿照明装置１０７を装着した図を示す。枠形状のフィルムガイド３０６を画像読取装置１００の原稿台ガラス１０６の上に装着し、フィルムガイド３０６のフィルム装着部の穴に読取原稿１０５を装着する。次に透過原稿用照明装置１０７を読取原稿１０５の上にフィルムガイド３０６にあわせて装着する。ここでは、６コマが連続したフィルム１０５の右端のコマの上に透過原稿用照明装置を装着している。
【００２１】
図３で透過原稿用照明装置１０７の詳細を、主走査方向に沿った断面図にて説明する。透過原稿用照明装置１０７は、透過原稿読取用ＬＥＤ１０８、面状導光体１０９、拡散シート１１０、本発明の押圧部１１１を搭載している。透過原稿読み取り時にはまず、読取原稿１０５をフィルムガイド３０６に沿って原稿台ガラス１０６上に載置する。フィルムガイド３０６は、読取原稿１０５よりわずかに大きい穴が空いている枠形状で、読取原稿１０５の原稿台ガラスの平面方向の位置を決める。次に透過原稿用照明装置１０７を透過原稿１０５上にセットする。透過原稿用照明装置１０７は、読取原稿１０５と略同じ幅で、フィルムガイド３０６内の読取原稿１０５の上に設置する時に、フィルムガイド３０６の穴により幅方向の位置が決められる。この状態において、読取原稿１０５を原稿台ガラス１０６に押圧している部分は押圧部１１１のみであり、押圧部１１１は画像領域の外側に配置しているため、透過原稿画像領域３０８にはストレスが掛からない。厚さ０．１５ｍｍの読取原稿１０５の画像面が、読取原稿１０５の上側にあっても、下側にあっても、押圧部１１１の高さを０．２ｍｍとして、コンタクトイメージセンサ１０１の被写界深度内（原稿台ガラス１０６の上側０．１ｍｍ±０．３ｍｍ）に収まるように設定することにより、透過原稿画像領域３０８が原稿台ガラス１０６から浮いてしまってもピントぼけすることなくモノクロイメージセンサ１０４に結像させることができる。
【００２２】
（第２の実施形態）
図４は本実施第２の形態の画像読取装置における読取原稿載置時の断面図である。第１の実施形態では押圧部１１１を線状に構成し、読取原稿１０５を押圧しているが、第２の実施形態として図４に示すように押圧部４０１をパーフォレーション４０３よりも大きい複数の突出部として構成することで読取原稿４０２を押圧しても同等の効果が得られる。
【００２３】
図６、７に、第２の実施例における透過原稿照明装置１０７の構成を示す。面状導光体１０９の横に、押圧部４０１−１，４０１−２，４０１−３，４０１−４が取り付けられており、これらの押圧部の下面は、発光面よりも下に突出している。フィルムガイド３０６の枠内に読取原稿１０５のフィルムを配置し、フィルムの上に透過原稿照明装置１０７を置くことで、読取原稿１０５を押圧部４０１−１，４０１−２，４０１−３，４０１−４で原稿台ガラス１０６に押し当てることができる。
【００２４】
（第３の実施形態）
図８は本実施第３の形態の画像読取装置における読取原稿載置時の断面図である。図８，図９において、図３と同じ部品は同じ番号を示す。図３と比較して、押圧部８０１は読取原稿フィルム１０５の幅方向端部を押圧する様に配置される。さらに、本実施形態では、図４で示すように、第一の実施形態に加えてフィルムガイド３０６にスペーサ部材８０２を配している。透過原稿読み取り時にはまず、読取原稿１０５を原稿台ガラス１０６上に置かれたフィルムガイド３０６に設けられたスペーサ部材８０２の上に載置する。次に透過原稿用照明装置１０７を透過原稿１０５の上にセットする。この状態において、読取原稿１０５を原稿台ガラス１０６に押圧している部分は押圧部８０１のみであり、透過原稿画像領域３０９はスペーサ部材８０２を支点に原稿台ガラスより持ち上げられる。また本発明のスペーサ部材８０１の高さを読取原稿１０５のフィルムと略同じ厚さの０．１５ｍｍとし、コンタクトイメージセンサ１０１の被写界深度内に収まるように設定することにより、透過原稿画像領域３０９の原稿台ガラス１０６及び３０８からの浮きもレンズアレイ１０３の被写界深度内に抑えることができ、ピントぼけすることなくモノクロイメージセンサ１０４に結像させることができる。また、原稿台ガラス１０６と読取原稿１０５の読取画像領域とが密着することを防ぐことができ、干渉縞の発生を防止できる。
【００２５】
【発明の効果】
以上説明したように本発明によれば、上述した押圧部を用いてレンズの被写界深度範囲内で読取原稿を押圧することにより、被写界深度の浅いレンズを用いたコンパクトな画像読取装置でも、レンズの合焦位置に透過原稿を配置することができ、反射原稿画像のみならず透過原稿画像を取得することが可能になる。また、狭い範囲に透過原稿を配置する構成にもかかわらず、透過原稿画像に傷等の原因となる不要な力を及ぼさない構成とすることができ、さらには、干渉縞の原因となる原稿画像領域の原稿台ガラスへの密着も防止できる。
【図面の簡単な説明】
【図１】本発明の第１の実施形態における画像読取装置の概略図である。
【図２】本発明の第１の実施形態における画像読取装置のブロック図である。
【図３】本発明の第１の実施形態における画像読取装置の読取原稿載置構成図である。
【図４】本発明の第２の実施形態における画像読取装置の読取原稿載置構成図である。
【図５】本発明の透過原稿照明装置を画像読取装置にフィルムガイドとともに設置した図である。
【図６】本発明の第２の実施例の透過原稿照明装置の構成図である。
【図７】本発明の第２の実施例の透過原稿照明装置を画像読取装置の原稿台ガラスの上に、フィルムガイドとともに装着する方法を示す図である。
【図８】本発明の第３の実施形態における画像読取装置の読取原稿載置構成図である。
【図９】本発明の第３の実施形態におけるフィルムガイドの構成図である。
【図１】
2004363893.tif 000003
【図２】
2004363893.tif 000004
【図３】
2004363893.tif 000005
【図４】
2004363893.tif 000006
【図５】
2004363893.tif 000007
【図６】
2004363893.tif 000008
【図７】
2004363893.tif 000009
【図８】
2004363893.tif 000010
【図９】
2004363893.tif 000011